(57)【要約】【課題】緊急警報放送の受信時に、放送受信装置の転倒を正確に検出できるようにすることで、自動起動による２次災害の発生を防止する。【解決手段】放送受信装置１は、第１受信部１１で受信したデジタル放送の放送内容を表示する表示部１６と、緊急警報放送の受信を行う第２受信部２１と、第２受信部２１が緊急警報放送を受信したか否かを判別する緊急警報放送判定部２６と、傾斜センサ２４と、傾斜センサ２４からの検出結果に基づいて放送受信装置１の転倒を判別する転倒判定部２７を備えており、緊急警報放送判定部２６が緊急警報放送の受信を検知した際に、転倒判定部２７が転倒を検知していない場合に、緊急警報放送の放送内容を表示部１６に表示している。転倒判定部２７は、放送受信装置１の傾斜を測定する際の基準値として、ユーザが放送受信装置の設置位置を決定した際に測定された傾斜センサ２４からの出力結果の値を記録している。【選択図】図１
2014165745.tif 000002
【特許請求の範囲】
【請求項１】
受信したデジタル放送の放送内容を表示する表示部を備えた放送受信装置であって、
前記デジタル放送における緊急警報放送の受信を行う受信部と、
該受信部が緊急警報放送を受信したか否かを検知する緊急警報放送判定部と、
前記放送受信装置に設けた傾斜センサと、
該傾斜センサからの検出結果に基づいて前記放送受信装置の転倒を検知する転倒判定部と、をさらに備え、
前記緊急警報放送判定部が前記緊急警報放送の受信を検知し、かつ、前記転倒判定部が前記放送受信装置の転倒を検知していない場合に、前記緊急警報放送の放送内容を前記表示部に表示する放送受信装置において、
前記転倒判定部は、前記放送受信装置の傾斜を測定する際の基準値として、ユーザが前記放送受信装置を視聴する設置位置を決定した際に測定された前記傾斜センサからの検出結果の値を記録することを特徴とする放送受信装置。
【請求項２】
前記放送受信装置に対する初期設定情報の登録終了時に、前記放送受信装置を視聴する設置位置をユーザに確認する確認画面を前記表示部に表示することを特徴とする請求項１に記載の放送受信装置。
【請求項３】
前記初期設定情報は、前記放送受信装置の使用地域を示す情報と前記放送受信装置の使用地域において前記緊急警報放送を提供しているデジタル放送のチャンネル周波数であるであることを特徴とする請求項２に記載の放送受信装置。
【請求項４】
前記転倒判定部が前記放送受信装置の転倒を判定した際に、スタンバイ状態に移行することを特徴とする請求項１から３のいずれか１に記載の放送受信装置。
【請求項５】
前記受信部、前記緊急警報放送判定部、前記傾斜センサ、および、前記転倒判定部をモジュールとして、前記放送受信装置に対して着脱自在に構成したことを特徴とする請求項１から４のいずれか１に記載の放送受信装置。
【発明の詳細な説明】
【技術分野】
【０００１】
本発明は放送受信装置に関し、さらに詳しくは、緊急警報放送を受信可能な放送受信装置に関する。
【背景技術】
【０００２】
テレビ放送では、地震や津波等の非常災害時に、緊急警報放送を発信してテレビジョン受像機側を制御することで、緊急災害に関する情報提供のための緊急警報放送を受信させる緊急警報放送発令システムを有している。
【０００３】
このような緊急警報放送発令システムに対応したテレビ受像機としては、スタンバイ状態（または、「待機状態」ともいう）でも緊急警報放送を受信するための回路を作動させており、緊急警報放送を受信した際には直ちに電源をオンにして放送の受信状態に移行する。これにより、緊急警報放送の開始時に放送受信装置の主電源がオフの状態であったとしても、放送を受信することが可能となっている。
【０００４】
しかしながら、緊急警報放送を受信するような時は、地震等の災害が起こった後である可能性が高いことから、地震で放送受信装置が転倒し、放送受信装置自体が破損している場合に、緊急警報放送を受信したことよる自動起動が作動してしまうと、火災等の２次災害を招く危険がある。
【０００５】
このため、特許文献１には、このような緊急警報放送の受信に応じて緊急警報放送の放送内容を表示可能な状態となるように動作するテレビジョン受像機において、地震等に伴う外乱（転倒・落下等）が生じ、その後に緊急警報放送が受信された際でも、傾斜センサによってテレビジョン受像機の転倒が検出された場合は、以降において少なくともディスプレイ部の駆動用電源がオンされないように制御することが開示されている。
【先行技術文献】
【特許文献】
【０００６】
【特許文献１】２００６-３１９８７７号公報
【発明の概要】
【発明が解決しようとする課題】
【０００７】
特許文献１に開示されたテレビジョン受像機では、転倒が地震によるもので、後に緊急警報放送が受信された場合にも、比較的高電圧となるディスプレイ部の駆動用電源がオンされないため、例えば表示駆動部などが損傷・破壊された場合にも確実に発煙や発火等といった電気的なトラブルの発生を防止することができる。
【０００８】
しかしながら、特許文献１に開示されたテレビジョン受像機では、決まった基準姿勢より一定角度以上傾斜があった場合に外乱と判断する方法がとられている。このため、実際にユーザがテレビジョン受像機を使用する場合では、壁にかけて下向きに傾斜をつけたり、天井に装着したりとさまざまな設置ケースがあるため、通常用いる受像機の視聴状態であっても外乱がある状態と判断してしまうおそれがあった。さらに、実際にはテレビジョン受像機が転倒しているにもかかわらず、転倒を検出することができないことがあり、緊急警報放送を受信したことよる自動起動が作動してしまうおそれがあった。
【０００９】
本発明は、これらの実情に鑑みてなされたものであり、放送受信装置が転倒しているか否かを正確に判定できるようにすることで、緊急警報放送の受信時における自動起動による２次災害の発生を防止できることが可能な放送受信装置を提供することをその目的とする。
【課題を解決するための手段】
【００１０】
上記課題を解決するために、本発明の第１の技術手段は、受信したデジタル放送の放送内容を表示する表示部を備えた放送受信装置であって、前記デジタル放送における緊急警報放送の受信を行う受信部と、該受信部が緊急警報放送を受信したか否かを検知する緊急警報放送判定部と、前記放送受信装置に設けた傾斜センサと、該傾斜センサからの検出結果に基づいて前記放送受信装置の転倒を検知する転倒判定部と、をさらに備え、前記緊急警報放送判定部が前記緊急警報放送の受信を検知し、かつ、前記転倒判定部が前記放送受信装置の転倒を検知していない場合に、前記緊急警報放送の放送内容を前記表示部に表示する放送受信装置において、前記転倒判定部は、前記放送受信装置の傾斜を測定する際の基準値として、ユーザが前記放送受信装置を視聴する設置位置を決定した際に測定された前記傾斜センサからの検出結果の値を記録することを特徴としたものである。
【００１１】
第２の技術手段は、第１の技術手段において、前記放送受信装置に対する初期設定情報の登録終了時に、前記放送受信装置を視聴する設置位置をユーザに確認する確認画面を前記表示部に表示することを特徴としたものである。
【００１２】
第３の技術手段は、第２の技術手段において、前記初期設定情報は、前記放送受信装置の使用地域を示す情報と前記放送受信装置の使用地域において前記緊急警報放送を提供しているデジタル放送のチャンネル周波数であるであることを特徴としたものである。
【００１３】
第４の技術手段は、第１から３のいずれか１の技術手段において、前記転倒判定部が前記放送受信装置の転倒を判定した際に、スタンバイ状態に移行することを特徴としたものである。
【００１４】
第５の技術手段は、第１から４のいずれか１の技術手段において、前記受信部、前記緊急警報放送判定部、前記傾斜センサ、および、前記転倒判定部をモジュールとして、前記放送受信装置に対して着脱自在に構成したことを特徴としたものである。
【発明の効果】
【００１５】
本発明によれば、ユーザが放送受信装置を視聴する際の設置位置を基準として、放送受信装置の転倒の判別を正確に行うことができ、地震等による放送受信装置自体の破損に基づく２次災害をより正確に防ぐことができる。
【図面の簡単な説明】
【００１６】
【図１】本発明の一実施形態に係る放送受信装置の一構成例を示すブロック図である。
【図２】図１に示す放送受信装置の初期設定情報登録時に傾斜センサの基準値を設定する際の手順を説明するためのフロー図である。
【図３】表示部における表示画面の一例を示す図である。
【図４】表示部における表示画面の他の例を示す図である。
【図５】図１に示す放送受信装置において、緊急警報放送を受信した際の処理の一例を説明するためのフロー図である。
【発明を実施するための形態】
【００１７】
以下、図面を参照しながら、本発明の放送受信装置に係る好適な実施の形態について説明する。図１は、本発明の一実施形態に係る放送受信装置の一構成例を示すブロック図である。
【００１８】
放送受信装置１は、第１受信部１１、映像信号処理部１５、表示部１６、メインコントローラ１４、第１サブコントローラ１７、リモコン受信部１８、電源回路１９、緊急警報放送監視モジュール２０を備えている。
【００１９】
第１受信部１１は、操作信号などに基づいて選局されたチャンネルのデジタル放送信号をアンテナ等から受信するチューナ部１２と、チューナ部１２で受信したデジタル放送信号を復調する復調部１３とを有している。映像信号処理部１５は、第１受信部１１から出力され、図示しない分離部で分離された映像信号を表示部１６に表示するための各種の信号変換処理を行う。表示部１６は、液晶パネルなどからなるディスプレイとディスプレイを駆動するための駆動回路からなり、映像信号処理部１５から映像データとして入力された映像をディスプレイに表示する。なお、図示しないが、放送受信装置１には、デジタル放送信号から復調され分離された音声信号を処理するための音声信号処理部とスピーカも備えている。
【００２０】
メインコントローラ１４はＣＰＵ、ＲＯＭ、ＲＡＭ等からなるマイコンとして構成され、第１受信部１１、映像信号処理部１５、表示部１６等の放送受信装置１全体を直接的または間接的に制御している。電源回路１９は、図示しない商用交流電源から入力された交流を直流変換し、放送受信装置１内の各部に電源を供給している。第１サブコントローラ１７は、メインコントローラ１４と同様に、ＣＰＵ、ＲＯＭ、ＲＡＭ等からなるマイコンとして構成されるが、主として、図示しないリモートコントローラからリモコン受信部１８を介して入力される種々のユーザからの操作信号に対応できるようになっている。
【００２１】
例えば、操作信号がチャンネルの切り替えを示す信号であれば、第１サブコントローラ１７がその信号をメインコントローラ１４に渡し、メインコントローラ１４がその信号に従って、チューナ部１２に対して選局対象となったチャンネル（周波数帯域、あるいは伝送チャンネルとも言う）の選局を実行させる。また、ボリューム調整の操作信号も、第１サブコントローラ１７がその信号をメインコントローラ１４に渡し、音声信号処理部に対してスピーカの出力を調整させるようにしている。
【００２２】
また、第１サブコントローラ１７は電源回路１９の制御を担当しており、第１サブコントローラ１７と電源回路１９とで電源制御部を構成している。例えば、電源オフを示す操作信号を受け取ったときは、電源回路１９に電源オフの指示を行うことで、第１サブコントローラ１７、リモコン受信部１８、緊急警報放送監視モジュール２０以外への電源供給を停止させ、放送受信装置１をスタンバイ状態（待機状態）に移行させる。このため、第１サブコントローラ１７は放送受信装置１がスタンバイ状態であっても起動している。
【００２３】
また、放送受信装置１がスタンバイ状態の際に、電源オンの操作信号を第１サブコントローラ１７が受け取った時は、第１サブコントローラ１７は電源回路１９に主電源を投入させる指示を行う。これにより、メインコントローラ１４を含む放送受信装置１の各部には電源が供給され、表示部１６に映像が表示される動作状態に移行する。なお、スタンバイ状態での電力消費を小さく抑えるために、第１サブコントローラ１７は、メインコントローラ１４よりも消費電力が小さなものを用いることが望ましい。
【００２４】
緊急警報放送監視モジュール２０は、第２受信部２１、傾斜センサ２４、第２サブコントローラ２５を備えている。第２受信部２１は、第１受信部１１と同様に、チューナ部２２、復調部２３を備えているが、第２受信部２１のチューナ部２２は、第１受信部１１のチューナ部１２とは異なり、基本的には受信周波数が緊急警報放送を送信している特定チャンネルの周波数に固定される。そのため、複数のチャンネルに対応させる場合でも緊急警報放送を送信している特定チャンネルの周波数のみを受信するように設定可能な構成にしておけばよい。また、復調部２３は、復調部１３と異なり、第２サブコントローラ２５において緊急警報放送の受信を検知可能にする情報、例えば、後述するＴＭＣＣとＰＭＴだけを第２サブコントローラ２５に出力するようにしておけばよい。
【００２５】
また、日本における地上デジタル放送では、ＵＨＦ（Ultra High Frequency）帯の約６ＭＨｚの周波数帯域（物理チャンネルとも言う）が１３セグメントに分割され、そのうちの１２セグメントでテレビジョン受像機等の固定端末向けの放送が実施されている。そして、残りの１セグメントで携帯電話・移動体端末向けの１セグメント部分受信サービス（以下、ワンセグとも言う）が実施されている。この１セグメント部分受信サービスでは、最大３２０×２４０ピクセル（ＱＶＧＡ：Quarter Video Graphics Array）の解像度を有する映像が放送されており、緊急警報放送がワンセグで放送されている場合には、第２受信部２１は低解像度受信サービスであるワンセグに対応させた受信部として構成することができる。
【００２６】
傾斜センサ２４は、放送受信装置１に取り付けられ放送受信装置１の傾斜角を測定するためのセンサであり、放送受信装置１が設置した設置位置から転倒したことを検出するために用いられる。傾斜センサ２４としては、転倒の方向を考慮して、直交する２軸での傾斜を測定できるものが好ましく、磁石とホール素子を用いたもの、マススプリング系の静電容量を測定するものなど種々のものを用いることができる。
【００２７】
第２サブコントローラ２５は、ＣＰＵ、ＲＯＭ、ＲＡＭ等からなるマイコンとして構成され、機能ブロックとして、緊急警報放送判定部２６、および、転倒判定部２７を有している。緊急警報放送判定部２６は、第２受信部２１からの緊急警報放送の検知を可能にするための情報を受けて、緊急警報放送を検知したか否かを判定し、緊急警報放送を受信したと判定した際に第１サブコントローラ１７に対して、例えば緊急警報放送信号“１”を送信する。
【００２８】
具体的な緊急警報放送の検知方法としては、第２受信部２１は、予め設定されたチャンネルで放送を受信し、受信放送波から放送が緊急警報放送であるか否かを識別する情報を取得する。現行の地上デジタル放送には、緊急警報放送の識別情報としては、ＴＭＣＣ（伝送多重制御）信号の緊急警報放送用起動フラグおよびＰＳＩ（番組特定情報）のＰＭＴ（Program Map Table）に緊急情報記述子がある。そして、緊急警報放送判定部２６は、ＴＭＣＣ信号に多重されている緊急警報放送フラグを監視し、フラグが有効であるかどうかをまず判定する。
【００２９】
次に、フラグが有効である場合、緊急警報放送判定部２６は、緊急警報放送の放送データに含まれるＰＭＴに記述されている緊急情報記述子の内容を解析する。解析の結果、緊急警報放送の信号種別と、警報対象地域を示す地域符号とを取得し、例えば、緊急情報記述子のｓｔａｒｔ＿ｅｎｄ＿ｆｌａｇが“１”であって、ａｒｅａ＿ｃｏｄｅが放送受信装置に予め設定されている地域符号（例えば、郵便番号、県名、都市名）に該当していれば、緊急警報放送判定部２６は、緊急警報放送を検知したと判定する。
【００３０】
転倒判定部２７は、ユーザが放送受信装置１を設置し視聴のための設置位置を決定した際に、傾斜センサ２４から測定された検出結果の値を転倒判定のための基準値θ０としてメモリ等に記録する。そして、例えば、基準値θ０の姿勢から所定角度、例えば４５度傾斜した時に、放送受信装置１が転倒したと判定する。第２サブコントローラ２５は、放送受信装置１が転倒したと判定した際に、第１サブコントローラ１７に対して、例えば転倒判定信号“１”を送信する。なお、転倒を判定するための所定角度の大きさについては、予めデフォルト値として転倒判定部２７に登録しておけばよい。
【００３１】
ここで、ユーザが放送受信装置１の視聴のための設置位置を決定するのは、放送受信装置１を最初に設置し初期設定情報の登録を行った時である可能性が高い。そこで、本実施の形態では、初期設定情報の登録終了時に、放送受信装置１の視聴のための設置位置をユーザに確認するための確認画面を表示部１６に表示している。また、緊急警報放送を受信するためには、予めどの監視チャンネルを監視すれば良いかを緊急警報放送監視モジュール２０に登録しておく必要がある。このため、初期設定情報として、放送受信装置の使用地域において緊急警報放送を提供しているデジタル放送のチャンネル周波数や、緊急警報放送の検知の判定に用いる使用地域を示す情報が登録された後に、確認画面を表示するようにしている。
【００３２】
以上のように、本実施の形態では、基本的な構成として、メインコントローラ１４とは別に、スタンバイ状態であっても起動している第１サブコントローラ１７と緊急警報放送監視モジュール２０を備えており、ユーザからの操作信号の受信や電源キー信号の受信を行うとともに、緊急警報放送の検知と放送受信装置１の転倒判定を行っている。
【００３３】
次に、傾斜センサ２４の基準値を設定する際の手順について説明する。図２は、図１に示す放送受信装置の初期設定情報の登録時に、傾斜センサの基準値を設定する際の手順を説明するためのフロー図である。
【００３４】
放送受信装置１の初期設定情報登録時は、メインコントローラ１４を含む放送受信装置１の各部には電源が供給されている。そして、ユーザは、放送受信装置１を最初に使用する際に、視聴のための放送受信装置１の設置位置を決め、例えばリモコン装置等を用いて図示しない初期設定登録画面から種々の初期設定情報の登録を行うのが通常である。初期設定情報には、先述したように、緊急警報放送を受信するための監視チャンネルや地域情報が含まれる。まず、メインコントローラ１４は、このような放送受信装置１の初期設定情報の登録が行われたかどうかを監視し（ステップＳ１）、登録が行われない場合は監視を続ける。
【００３５】
次に、初期設定情報が登録された場合は、図３で示すような、現在の放送受信装置の設置位置で視聴をするかどうかをユーザに確認する設置位置確認画面３０を表示部１６に表示する（ステップＳ２）。設置位置確認画面３０は、例えば、「テレビを今の設置位置で視聴されますか？」といった表示３１とともに、「はい」ボタン３２と「いいえ」ボタン３３を表示し、更に、「いいえ」ボタン３３を選択した場合は、転倒監視機能が利用できない旨の注意文３４を表示する。
【００３６】
なお、初期設定情報としての緊急警報放送を受信するための監視チャンネルや地域情報は、第２サブコントローラ２５に登録されるとともにメインコントローラ１４にも記憶される。そして、緊急警報放送を受信するための監視チャンネルや地域情報が登録された後は、第２サブコントローラ２５は、第２受信部２１のチューナ部２２が登録された監視チャンネルのデジタル放送を受信するように制御し、緊急警報放送監視モジュール２０は、緊急警報放送の受信を検知する緊急警報放送受信モードに入る。
【００３７】
次に、メインコントローラ１４は、設置位置が決定されたかどうかを判定し（ステップＳ２）、設置位置が決定された場合、すなわち、設置位置確認画面３０の「はい」ボタン３２が選択された場合は、現在の傾斜センサ２４からの測定出力値、すなわち、「はい」ボタンが選択された時に傾斜センサ２４で測定された検出結果の値を放送受信装置１の傾斜を測定する際の基準値θ０として、第２サブコントローラ２５に記録させる（ステップＳ４）。ステップＳ４に続いて、緊急警報放送監視モジュール２０は、放送受信装置１の転倒を検知する転倒監視モードに入る（ステップＳ５）。
【００３８】
ステップＳ３で、設置位置が決定されなかった場合、すなわち、設置位置確認画面３０の「いいえ」ボタン３３が選択された場合、あるいは、所定の時間経過後も、「はい」ボタン３２あるいは「いいえ」ボタン３３が選択されなかった場合は、図４で示すような、放送受信装置の設置位置が決まれば再度、設定位置決定の入力を求める画面４０を表示部１６に表示する（ステップＳ６）。画面４０では、「テレビを視聴する設置位置が決まれば、設置位置確認画面で決定して下さい。」といった表示４１を行う。ステップＳ６に続いて、緊急警報放送監視モジュール２０は、放送受信装置１の転倒を検知する転倒監視モードに入らずに処理を終える（ステップＳ７）。
【００３９】
次に、緊急警報放送監視モジュール２０が緊急警報放送監視モードと転倒監視モードに入った、通常の使用時における放送受信装置１の処理について説明する。図５は、図１に示す放送受信装置において、緊急警報放送を受信した際の処理の一例を説明するためのフロー図である。
【００４０】
まず、最初に、メインコントローラ１４への電源の供給にかかわらず、第１サブコントローラ１７と緊急警報放送監視モジュール２０は起動しており、放送受信装置１が転倒しておらずかつ緊急警報放送が放送されていない状態であるとする。この場合、緊急警報放送監視モジュール２０は、第１サブコントローラ１７に対して、転倒判定信号“０”を送信するとともに（ステップＳ１１）、緊急警報放送受信信号“０”を送信している（ステップＳ１２）。これは、第２サブコントローラ２５と第１サブコントローラ１７とを接続する、転倒判定信号のラインと緊急警報放送受信信号のラインの電位をそれぞれ低レベル“０”に保持することで実現できる。
【００４１】
次に、緊急警報放送監視モジュール２０の緊急警報放送判定部２６が緊急警報放送の受信を検知したか否かの判定を行う（ステップＳ１３）。緊急警報放送を受信したかどうかは、先述したように、第２受信部２１から取得したＴＭＣＣ信号の緊急警報放送用起動フラグが有効であり、かつ、放送データに含まれるＰＭＴに記述されている緊急情報記述子のｓｔａｒｔ＿ｅｎｄ＿ｆｌａｇが“１”であって、ａｒｅａ＿ｃｏｄｅが放送受信装置１に予め設定されている地域符号に該当しているかどうかで判定することができる。
【００４２】
次に、緊急警報放送の受信を検知していない場合（ステップＳ１３で“ＮＯ”の場合）は、第２サブコントローラ２５は、転倒判定部２７が放送受信装置１の転倒を検知したかどうかを判定する（ステップＳ１４）。転倒判定部２７における放送受信装置１の転倒の検知は、傾斜センサ２４からの測定結果が基準値θ０から所定の値を超えた場合であり、例えば、θ０±４５度の範囲を超えた場合に放送受信装置１が転倒したと判定される。ステップＳ１４で転倒判定部２７が放送受信装置１の転倒を検知していない場合は、ステップＳ１３に戻り以降の処理を続ける。この場合、第１サブコントローラ１７に対する転倒判定信号と緊急警報放送受信信号はそれぞれ低レベル“０”の状態が維持される。
【００４３】
ステップＳ１４で転倒判定部２７が放送受信装置１の転倒を検知している場合は、第２サブコントローラ２５は、第１サブコントローラ１７へ転倒判定信号“１”を送信する。これは、転倒判定信号のラインの電位を高レベル“１”に保持することで実現できる。次に、第１サブコントローラ１７は、転倒判定信号が“１”となったことを検知して、放送受信装置１がスタンバイ状態にあるか否かを判定する（ステップＳ１６）。そして、放送受信装置１がスタンバイ状態ではない場合、すなわち、メインコントローラ１４等に電源が供給されて表示部１６に映像が表示されている場合は、第１サブコントローラ１７はスタンバイ状態となるように電源回路１９を制御する。また、ステップＳ１６で放送受信装置１がスタンバイ状態にある場合は、スタンバイ状態を維持して処理を終了する。
【００４４】
ステップＳ１３に戻り、緊急警報放送の受信を検知した場合（“ＹＥＳ”の場合）、第２サブコントローラ２５は、転倒判定部２７が放送受信装置１の転倒を検知したかどうかを判定する（ステップＳ１８）。ステップＳ１８で転倒判定部２７が放送受信装置１の転倒を検知している場合は、ステップＳ１５に移り、以降の処理を続ける。これにより、緊急警報放送を受信した際であっても放送受信装置１が転倒している場合には、放送受信装置１がスタンバイ状態に維持されるため、放送受信装置１には主電源が投入されることがなく、自動起動による火災等の２次災害を防ぐことができる。
【００４５】
次に、ステップＳ１８で転倒判定部２７が放送受信装置１の転倒を検知していない場合は、第２サブコントローラ２５は、第１サブコントローラ１７へ緊急警報放送受信信号“１”を送信する（ステップＳ１９）。これは、緊急警報放送受信信号のラインの電位を高レベル“１”に保持することで実現できる。第１サブコントローラ１７は、緊急警報放送受信信号が“１”となったことを検知して、放送受信装置１がスタンバイ状態にあるかどうか判定する（ステップＳ２０）。
【００４６】
そして、放送受信装置１がスタンバイ状態の場合は、第１サブコントローラ１７はメインコントローラ１４等に主電源を投入するよう電源回路１９を制御し（ステップＳ２１）、その後、ステップＳ２２に移る。これにより、メインコントローラ１４が起動し、第１受信部１１で受信しているデジタル放送の放送内容が表示部１６に表示される。また、ステップＳ２０で放送受信装置１がスタンバイ状態でない場合、すなわち、メインコントローラ１４が起動しており、第１受信部１１で受信しているデジタル放送の放送内容が表示部１６に表示されている場合は、そのままステップＳ２２に移る。
【００４７】
ステップＳ２２では、メインコントローラ１４は第１受信部１１のチューナ部１２が、予め登録された緊急警報放送を送信している監視チャンネルのデジタル放送を受信しているか否かを判別する。そして、緊急警報放送を受信していない場合（“ＮＯ”の場合）は、メインコントローラ１４は、チューナ部１２に対して緊急警報放送のチャンネルを選局するように制御し、表示部１６に緊急警報放送の放送内容を表示させる（ステップＳ２３）。緊急警報放送を提供しているチャンネルは、先述した初期設定情報の登録時にメインコントローラ１４にも記録されているので、これを利用すればよい。また、ステップＳ２２で緊急警報放送を受信している場合（“ＹＥＳ”の場合）は、その状態が維持される。
【００４８】
これにより、緊急警報放送判定部２６が緊急警報放送を受信したことを検知した際に、転倒判定部２７が放送受信装置１の転倒を検知していない場合は、緊急警報放送の放送内容が表示部１６に表示される。
【００４９】
以上に説明した本発明の一実施形態では、第２サブコントローラ２５から第１サブコントローラ１７への転倒判定信号と緊急警報放送受信信号の送信は、転倒判定信号と緊急警報放送受信信号のラインの電位をそれぞれ低レベル“０”と高レベル“１”を切り替えることで行っているが、これに限らず、所定のコード信号を第２サブコントローラ２５から第１サブコントローラ１７へ送信することで行ってもよい。
【００５０】
また、上記の実施形態では、第２サブコントローラ２５は緊急警報放送の受信を検知した場合であっても、放送受信装置１の転倒を検知している場合は、緊急警報放送受信信号を“０”のまま維持するようにしている。しかし、緊急警報放送判定部２６が緊急警報放送の受信を検知した場合に、転倒の検知にかかわらず緊急警報放送受信信号“１”を第１サブコントローラ１７に送信するようにしてもよい。この場合、第１サブコントローラ１７が、転倒判定信号と緊急警報放送受信信号の組み合わせの状態にしたがって、放送受信装置１をスタンバイ状態にするか否かを判別することになる。
【００５１】
さらに、第２サブコントローラ２５の処理を第１サブコントローラ１７が行うことによって、第２サブコントローラ２５を省いた構成としてもよい。また、緊急警報放送監視モジュール２０を、放送受信装置１に対して着脱自在に装着できるように構成してもよい。
【００５２】
以上に説明したように、本発明に係る放送受信装置は、受信したデジタル放送の放送内容を表示する表示部を備えた放送受信装置であって、前記デジタル放送における緊急警報放送の受信を行う受信部と、該受信部が緊急警報放送を受信したか否かを検知する緊急警報放送判定部と、前記放送受信装置に設けた傾斜センサと、該傾斜センサからの検出結果に基づいて前記放送受信装置の転倒を検知する転倒判定部とをさらに備え、前記緊急警報放送判定部が前記緊急警報放送の受信を検知し、かつ、前記転倒判定部が前記放送受信装置の転倒を検知していない場合に、前記緊急警報放送の放送内容を前記表示部に表示する放送受信装置において、前記転倒判定部は、前記放送受信装置の傾斜を測定する際の基準値として、ユーザが前記放送受信装置を視聴する設置位置を決定した際に測定された前記傾斜センサからの検出結果の値を記録することを特徴としたものである。これにより、ユーザが放送受信装置を視聴する際の設置位置を基準として、放送受信装置の転倒の判別を正確に行うことができ、地震等による放送受信装置自体の破損に基づく２次災害をより正確に防ぐことができる。
【００５３】
また、本発明に係る放送受信装置は、前記放送受信装置に対する初期設定情報の登録終了時に、前記放送受信装置を視聴する設置位置をユーザに確認する確認画面を前記表示部に表示することを特徴としている。これにより、ユーザが放送受信装置１を最初に使用する際に、正確な傾斜センサの基準値を確実に設定することができる。
【００５４】
また、前記初期設定情報は、前記放送受信装置の使用地域を示す情報と前記放送受信装置の使用地域において前記緊急警報放送を提供しているデジタル放送のチャンネル周波数であるであることを特徴としている。これにより、放送受信装置を使用する地域における緊急警報放送の受信を確実に検知することが可能となる。
【００５５】
また、本発明に係る放送受信装置は、前記転倒判定部が前記放送受信装置の転倒を判定した際に、スタンバイ状態に移行することを特徴としている。これにより、緊急警報放送を受信しない場合であっても、放送受信装置が転倒した際に放送受信装置をスタンバイ状態に維持することができる。
【００５６】
さらに、前記受信部、前記緊急警報放送判定部、前記傾斜センサ、および、前記転倒判定部をモジュールとして、前記放送受信装置に対して着脱自在に構成したことを特徴としている。これにより、緊急警報放送判定機能や転倒判定機能を持たない放送受信装置に対しても、これらの機能を付加することが可能になる。
【符号の説明】
【００５７】
１…放送受信装置、１１…第１受信部、１２…チューナ部、１３…復調部、１４…メインコントローラ、１５…映像信号処理部、１６…表示部、１７…第１サブコントローラ、１８…リモコン受信部、１９…電源回路、２０…緊急警報放送監視モジュール、２１…第２受信部、２２…チューナ部、２３…復調部、２４…傾斜センサ。２５…第２サブコントローラ、２６…緊急警報放送判定部、２７…転倒判定部、３０…設置位置確認画面、４０…画面。
【図１】
2014165745.tif 000003
【図２】
2014165745.tif 000004
【図３】
2014165745.tif 000005
【図４】
2014165745.tif 000006
【図５】
2014165745.tif 000007